(57)【要約】【課題】加熱調理器において調理室側面に付着する油煙等のお手入れを向上すること。【解決手段】調理物の上面を加熱する上面加熱手段と、調理物の下面を焼き網の下から加熱する下面加熱手段と、調理室内側の側面に防汚処理を施した機能性側面体とを備えた加熱調理器において、防汚処理を施した機能性側面体は調理室内側から外へ取り外すことができる構成をとっている。調理器を使用する毎に調理物から発生する油煙等が調理室の側面に置かれた機能性側面体に付着するが、調理室内側から機能性側面体を取外し効果的にまた簡単に洗浄することができ、洗浄後の機能性側面体を調理室内側に戻すことで、初期だけでなく調理室内を清潔な状態で継続して利用することとなる。【選択図】図１
2010000219.tif 000002
【特許請求の範囲】
【請求項１】
受け皿を備えた焼き網上に載せた調理物を収容する調理室と、前記調理室に調理物を出し入れする扉と、前記調理物の上面を加熱する上面加熱手段と、前記調理物の下面を前記焼き網の下から加熱する下面加熱手段と、前記調理室内側の側面に防汚処理を施した機能性側面体とを備え、前記機能性側面体は調理室外へ取り外すことを可能とした加熱調理器。
【請求項２】
受け皿を備えた焼き網上に載せた調理物を収容する調理室と、前記調理室に調理物を出し入れする扉と、前記調理物の上面を加熱する上面加熱手段と、前記調理物の下面を前記焼き網の下から加熱する下面加熱手段と、前記調理室内側の側面に防汚処理を施した機能性側面体と、前記調理室内側の底面に防汚処理を施した機能性底面体とを備え、前記機能性側面体及び前記機能性底面体は調理室外へ取り外すことを可能とした加熱調理器。
【請求項３】
調理室は前記調理室内側の天面に遠赤外線放射材を担持した請求項１または２に記載の加熱調理器。
【請求項４】
遠赤外線放射材はマンガンとクロムと銅の少なくとも１種の酸化物を主成分とする組成とした請求項３に記載の加熱調理器。
【請求項５】
遠赤外線放射材は少なくともマンガンとクロムと銅の複合酸化物を主成分とする組成とした請求項３に記載の加熱調理器。
【請求項６】
遠赤外線放射材は少なくとも白金またはパラジウムを含有する組成とした請求項３〜５のいずれか１項に記載の加熱調理器。
【請求項７】
遠赤外線放射材は琺瑯処理をした請求項３〜６のいずれか１項に記載の加熱調理器。
【請求項８】
機能性側面体及び機能性底面体は基材と、前記基材に低分子シリコンからなるクリアーコートを担持する構成とした請求項１〜７のいずれか１項に記載の加熱調理器。
【請求項９】
機能性側面体及び機能性底面体は基材と、前記基材にフッ素コートを担持する構成とした請求項１〜７のいずれか１項に記載の加熱調理器。
【請求項１０】
基材はステンレス、アルミニウム鋼板の中から選ばれた１種類とした請求項８または９に記載の加熱調理器。
【請求項１１】
請求項１〜１０のいずれか１項に記載の加熱調理器を搭載した電磁誘導加熱式調理器。
【発明の詳細な説明】
【技術分野】
【０００１】
本発明は、一般的な食材等の調理物の加熱調理を最適に行い、調理後のお手入れを手軽に簡単に行うための手段を有した加熱調理器、およびそれを搭載した電磁誘導加熱式調理器に関するものである。
【背景技術】
【０００２】
従来、この種の加熱調理器および電磁誘導加熱式調理器は調理室の側面等の調理室内壁面にフッ素コートを塗布し、調理物から発生する油等の付着物を簡単に除去するという手段が提案されている（例えば、特許文献１及び特許文献２参照）。
【０００３】
特許文献１に示された加熱調理器は、フッ素材料系微粒子を共析させた複合メッキ被膜を備えた調理器具用部材およびその様な調理器具用部材を使用するもので、非粘着性、耐衝撃性、耐傷付き性、耐熱性などに優れ、また、手入れが容易であるため、長時間の使用後にも、初期の優れた特性を維持し得る被膜を備えるために、調理器具において特に汚れの激しい天板、コンロ汁受け皿、焼き網などの部材上にフッ素化合物微粒子を分散含有する複合メッキ被膜を形成させている。つまり、平均粒径２μｍ以下のフッ素化合物微粒子を分散含有する複合メッキ被膜を備えた調理器としている。
【０００４】
また、特許文献２に示された加熱調理器は、加熱調理器内面のステンレス素材に透明非粘着コーティングを施し、透明非粘着コーティングに使用するコーティング剤が、紫外線硬化性樹脂およびフッ素系表面改質剤とからなり、紫外線硬化樹脂が、アクリル樹脂、ウレタン樹脂およびシリコーン樹脂のなかから選ばれた少なくとも１種以上の紫外線硬化性樹脂であり、フッ素系表面改質剤が、エポキシ変性シリコーン、アクリル変性シリコーンおよび有機・無機シリコーン樹脂のなかから選ばれた少なくとも１種以上からなり、フロロアルキル基およびフロロアクリル基のなかから選ばれた少なくとも１種以上のフッ化アルキル基を有するフッ素系表面改質剤からなる加熱調理器としている。
【０００５】
また、この種の加熱調理器として調理室の上面や側面等の調理室内壁面に遠赤外線放射材を塗布し、調理物に遠赤外線を放射するという手段も提案されている（例えば、特許文献３参照）。
【０００６】
図４は、特許文献３に記載された従来の加熱調理器を示すものである。図４に示すように、従来の加熱調理器は食材を内部に配置するための加熱室と、食材を加熱するためのシーズヒータ４１が取り付けられており、４２は遠赤外線を放射する遠赤外線放射板で、シーズヒータ４１の背面側つまり調理室の上面に取り付けられている。シーズヒータ４１は通電されることにより熱せられ、近くに設置された遠赤外線放射板４２を加熱する。加熱された遠赤外線放射板４２はその表面から遠赤外線を放射し、食材を加熱する。
【特許文献１】特開平７−２３８６２号公報
【特許文献２】特開２００１−７８８９４号公報
【特許文献３】特開昭６２−１３１４９０号公報
【発明の開示】
【発明が解決しようとする課題】
【０００７】
しかしながら、前記従来の構成では、調理室の側面等の調理室内壁面にフッ素系塗料が塗布されているだけであり、初期の壁面が汚染されていない状態であれば利用する上で問題は起こらないが、調理器を使用することによって調理物から発生する油煙等が壁面に付着することにより、フッ素系塗料が油煙等で覆われるため機器の使用とともに壁面が汚染
されたときにお手入れをするために、調理室内壁面に付着した油煙等を取り除くために壁面を拭取れば良いが、調理物を加熱するための加熱手段等が存在しており作業性が極めて悪く、付着物を取り除くことが困難であるという課題を有していた。
【０００８】
さらに特許文献３に記載されているような構成であれば、調理室の上面や側面等の調理室内壁面に遠赤外線放射材が塗布されているだけであり、初期の壁面が汚染されていない状態であれば遠赤外線を効率よく放射することができるが、調理器を使用することによって調理物から発生する油煙等が壁面に付着することにより、遠赤外線放射材が油煙等で覆われるため機器の使用とともに遠赤外線の放射量が低下するという課題を有していた。
【０００９】
本発明は、前記従来の課題を解決するもので、防汚処理を施した機能性側面体や機能性底面体を調理室外へ取り外すことができる。調理器を使用することによって調理物から発生する油煙等が機能性側面体や機能性底面体に付着するが、調理室からそれらを取外し効果的に洗浄することができる。洗浄後の機能性側面体や機能性底面体を調理室に戻すことで、防汚性能を維持することができ、調理室内部を清潔な状態で継続して利用できる加熱調理器を提供することを目的とする。また、調理室内側の天面に遠赤外線放射材を担持することによって、調理物の上から遠赤外線の効果を得ることができる、さらに遠赤外線の放射材として触媒作用を有する材料を含有することで、調理室内側の天面に付着した油煙等を分解することができる。
【課題を解決するための手段】
【００１０】
前記従来の課題を解決するために、本発明の加熱調理器および電磁誘導加熱式調理器は、受け皿を備えた焼き網上に載せた調理物を収容する調理室と、前記調理室に調理物を出し入れする扉と、前記調理物の上面を加熱する上面加熱手段と、前記調理物の下面を前記焼き網の下から加熱する下面加熱手段と、前記調理室内側の側面に防汚処理を施した機能性側面体とを備え、前記機能性側面体は調理室外へ取り外すことを可能としたものである。
【００１１】
これによって、防汚処理を施した機能性側面体を調理室内側から外へ取り外すことができる。調理器を使用する毎に調理物から発生する油煙等が調理室の側面に置かれた機能性側面体に付着するが、調理室内側から機能性側面体を取外し効果的にまた簡単に洗浄することができ、洗浄後の機能性側面体を調理室内側に戻すことで、初期だけでなく調理室内を清潔な状態で継続して利用できる加熱調理器および電磁誘導加熱式調理器となる。
【発明の効果】
【００１２】
本発明の加熱調理器および電磁誘導加熱式調理器は、上面加熱手段と下面加熱手段からの輻射熱によって調理物を加熱する構成をとっており、調理室内側の側面に防汚処理を施した機能性側面体を備えることによって、調理室内のお手入れ性を向上することができる。また機能性側面体は調理室外へ取り外すことが可能な構成とすることで、調理室内側から機能性側面体を取外し効果的に洗浄することができる。機能性側面体を調理室内に設置すれば、初期の清潔な状態であればお手入れをする必要もないが、調理器を使用することによって調理物から発生する油煙等が機能性側面体に付着することにより、調理器内部の側面が油煙等で覆われ、機器の使用とともに調理室内部が汚染される。そこで、調理室から機能性側面体を取外し洗浄することで、付着した油煙等を洗い落とし調理室内側に戻すことにより、初期と同様に調理室内を清潔な状態で利用することができる。
【発明を実施するための最良の形態】
【００１３】
第１の発明は、受け皿を備えた焼き網上に載せた調理物を収容する調理室と、前記調理室に調理物を出し入れする扉と、前記調理物の上面を加熱する上面加熱手段と、前記調理物の下面を前記焼き網の下から加熱する下面加熱手段と、前記調理室内側の側面に防汚処
理を施した機能性側面体とを備え、前記機能性側面体は調理室外へ取り外すことを可能とした加熱調理器とすることにより、防汚処理を施した機能性側面体を調理室内側から外へ取り外すことができる。調理器を使用する毎に調理物から発生する油煙等が調理室内側の側面に置かれた機能性側面体に付着するが、調理室内側から機能性側面体を取り外すことで効果的にまた簡単に洗浄することができ、洗浄後の機能性側面体を調理室内側に戻すことで、初期だけでなく調理室内を清潔な状態で継続して利用できる加熱調理器とすることができる。
【００１４】
第２の発明は、受け皿を備えた焼き網上に載せた調理物を収容する調理室と、前記調理室に調理物を出し入れする扉と、前記調理物の上面を加熱する上面加熱手段と、前記調理物の下面を前記焼き網の下から加熱する下面加熱手段と、前記調理室内側の側面に防汚処理を施した機能性側面体と、前記調理室内側の底面に防汚処理を施した機能性底面体とを備え、前記機能性側面体及び前記機能性底面体は調理室外へ取り外すことを可能とした加熱調理器とすることにより、防汚処理を施した機能性側面体と機能性底面体を調理室内側から外へ取り外すことができる。調理器を使用する毎に調理物から発生する油煙等が調理室内側の側面に置かれた機能性側面体や、調理室内側の底面に置かれた機能性底面体に付着するが、調理室内側から機能性側面体と機能性底面体を取り外すことで効果的にまた簡単に洗浄することができ、洗浄後の機能性側面体と機能性底面体を調理室内側に戻すことで、初期だけでなく調理室内を清潔な状態で継続して利用できる加熱調理器とすることができる。
【００１５】
第３の発明は、特に、第１または第２の発明の調理室が内側の天面に遠赤外線放射材を担持した加熱調理器とすることにより、天面の遠赤外線放射材が上面加熱手段からの熱を吸収し調理物に向けて遠赤外線を放射することができる。遠赤外線の効果を受けた調理物は油煙等の発生量が多く、調理器を使用する毎に調理室内側の側面に置かれた機能性側面体に一層付着するが、調理室内側から機能性側面体を取り外すことで効果的にまた簡単に洗浄することができ、洗浄後の機能性側面体を調理室内側に戻すことで、初期だけでなく調理室内を清潔な状態で継続して利用できる加熱調理器とすることができる。
【００１６】
第４の発明は、特に、第３の発明の遠赤外線放射材をマンガンとクロムと銅の少なくとも１種の酸化物を主成分とする組成とした加熱調理器とすることにより、上面加熱手段からの熱を天面の遠赤外線放射材が吸収し、調理物に向けて一層効率良く遠赤外線を放射することができ、さらに遠赤外線の放射材として触媒作用を有する材料を含有しているため、調理室内側の天面に付着した油煙等を分解することができるので、調理物に遠赤外線の効果が一層得られる加熱調理器とすることができる。
【００１７】
第５の発明は、特に、第３の発明の遠赤外線放射材を少なくともマンガンとクロムと銅の複合酸化物を主成分とする組成とした加熱調理器とすることにより、上面加熱手段からの熱を天面の遠赤外線放射材が吸収し、調理物に向けて一層効率良く遠赤外線を放射することができ、さらに遠赤外線の放射材として触媒作用を有する材料を含有しているため、調理室内側の天面に付着した油煙等を分解することができるので、調理物に遠赤外線の効果が一層得られる加熱調理器とすることができる。
【００１８】
第６の発明は、特に、第３〜５の発明の遠赤外線放射材を少なくとも白金またはパラジウムを含有する組成とした加熱調理器とすることにより、上面加熱手段からの熱を天面の遠赤外線放射材が吸収し、調理物に向けて一層効率良く遠赤外線を放射することができ、さらに遠赤外線の放射材として触媒作用を有する材料を含有しているため、調理室内側の天面に付着した油煙等を分解することができるので、調理物に遠赤外線の効果が一層得られる加熱調理器とすることができる。
【００１９】
第７の発明は、特に、第３〜６のいずれか１つの発明の遠赤外線放射材が琺瑯処理をした加熱調理器とすることにより、天面の遠赤外線放射材が上面加熱手段からの熱を吸収し調理物に向けて遠赤外線を放射することができる。さらに調理器を使用することによって調理物から発生する油煙等が遠赤外線放射材に付着することにより、遠赤外線放射材が油煙等で覆われ、機器の使用とともに遠赤外線の放射量が低下するが、琺瑯処理を行っていれば遠赤外線放射材を傷つけることなく洗浄することで油煙等を除去することができる。洗浄後の遠赤外線放射材を使用すれば初期だけでなく調理物に遠赤外線の効果が継続して得られる加熱調理器とすることができる。
【００２０】
第８の発明は、特に、第１〜７のいずれか１つの発明の機能性側面体及び機能性底面体を基材と、前記基材に低分子シリコンからなるクリアーコートを担持する構成とした加熱調理器とすることにより、調理器を使用する毎に調理物から発生する油煙等が調理室内側の側面に置かれた機能性側面体や、調理室内側の底面に置かれた機能性底面体に付着するが、一層効果的にまた簡単に洗浄することができる。さらに洗浄後の機能性側面体と機能性底面体を調理室内側に戻すことで、初期だけでなく調理室内を一層清潔な状態で継続して利用できる加熱調理器とすることができる。
【００２１】
第９の発明は、特に、第１〜７のいずれか１つの発明の機能性側面体及び機能性底面体を基材と、前記基材にフッ素コートを担持する構成とした加熱調理器とすることにより、調理器を使用する毎に調理物から発生する油煙等が調理室内側の側面に置かれた機能性側面体や、調理室内側の底面に置かれた機能性底面体に付着するが、一層効果的にまた簡単に洗浄することができる。さらに洗浄後の機能性側面体と機能性底面体を調理室内側に戻すことで、初期だけでなく調理室内を一層清潔な状態で継続して利用できる加熱調理器とすることができる。
【００２２】
第１０の発明は、特に、第８または第９の発明の基材をステンレス、アルミニウム鋼板の中から選ばれた１種類とした加熱調理器とすることにより、機能性側面体及び機能性底面体が油煙等で覆われ、機器の使用とともに汚染されるが、基材が前記基材であれば機能性側面体及び機能性底面体を傷つけることなく洗浄することで油煙等を除去することができる。さらに洗浄後の機能性側面体と機能性底面体を調理室内側に戻すことで、初期だけでなく調理室内を一層清潔な状態で継続して利用できる加熱調理器とすることができる。
【００２３】
第１１の発明は、特に、第１〜１０のいずれか１つの発明の加熱調理器を搭載した電磁誘導加熱式調理器とすることにより、天面の遠赤外線放射材が上面加熱手段からの熱を吸収し調理物に向けて遠赤外線を放射することができる。遠赤外線の効果を受けた調理物は油煙等の発生量が多く、調理器を使用する毎に調理室内側の側面に置かれた機能性側面体に一層付着するが、調理室内側から機能性側面体を取り外すことで効果的にまた簡単に洗浄することができ、洗浄後の機能性側面体を調理室内側に戻すことで、初期だけでなく調理室内を清潔な状態で継続して利用できる加熱調理器を搭載した電磁誘導加熱式調理器とすることができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における加熱調理器および電磁誘導加熱式調理器の構成図を示すものである。
【００２６】
図１において、本発明の加熱調理器１０は、受け皿７を備えた焼き網２上に載せた調理物３を収容する調理室１内に、調理物３の上面を加熱する上面加熱手段４と、下面を加熱
する下面加熱手段５と、調理室１の側面に調理室１の外へ取り外すことが可能な機能性側面体６を設けた構成としている。本実施の形態１では、調理室１内の温度検知手段８及び調理室１の底面温度を検知する底温度検知手段９は、Ｋタイプの熱伝対をセラミックスなどの絶縁材で電気的に絶縁されたものを、ステンレスなどの金属により被覆したものを用いた。上面加熱手段４及び下面加熱手段５は温度検知手段８及び底温度検知手段９で計測された温度にしたがって図示しない制御手段の調理工程プログラムによって制御される。
【００２７】
以上のように構成された加熱調理器について、以下その動作、作用を説明する。
【００２８】
まず、加熱調理器で調理を行う際、使用者が取っ手を引き出すと、それと連動して焼き網２、受け皿７が調理室１からスライドして引き出される。そこで焼き網２に魚等の調理物３を載せ、取っ手を押し、スライドさせて調理室１内に収納する。その後、図示しない操作部を操作することにより、調理物３を加熱する第１調理工程が開始する。第１調理工程が開始すると、図示しない制御手段が上面加熱手段４と下面加熱手段５に通電する工程が行われる。この工程では、調理室１内の空気温度は加熱時間に応じて高くなり、調理物３が加熱され始める。また底面の温度も加熱時間に応じて高くなる。そして、底面の温度が上限温度Ｔａになると、第２調理工程が開始する。この工程では、制御手段は下面加熱手段５を底面の温度がＴａとなるように制御し、上面加熱手段４は通電し続ける。調理室１内の空気温度は上昇を続けるため、調理物３はさらに加熱される。この段階では調理物３から油煙等が発生しはじめ、調理室１の側面に置かれた機能性側面体６に油煙等が付着し始める。そして、調理室１内の温度が上限温度Ｔｂになると、第３調理工程が開始する。この工程では、制御手段は上面加熱手段４と下面加熱手段５を調理室１内の温度が、Ｔｂとなるように制御するとともに、下面加熱手段５を底面の温度がＴａとなるように制御し、調理物３は一定の温度で加熱される。この段階ではすでに調理物３から大量の油煙が発生しており、調理室１の側面に置かれた機能性側面体６には油煙等が大量に付着し、また調理室１内の温度も高いため、付着した油煙等がこびりつく部分もできる。
【００２９】
調理工程の時間が所定時間ｔ１になるまで、調理工程が行われると、制御手段は上面加熱手段４及び下面加熱手段５への通電を終了し、調理工程を終了する。そして、使用者は、取っ手を調理室１から引き出すことにより、加熱調理された調理物３を取り出すことができる。
【００３０】
なお、調理工程の経過時間は制御手段に接続された図示しないタイマーでカウントするものである。
【００３１】
このように本実施の形態１によれば、調理物３を調理する工程において、調理物３から発生する油煙等が必ず調理室１内の側面に置かれた機能性側面体６に付着するものであり、高温のため油煙等がこびりつく部分も存在するが、機能性側面体６は調理室１外へ取り外すことができる。よって油煙等が付着した機能性側面体６は使用者が効果的にまた簡単に洗浄することができ、洗浄後の機能性側面体６を調理室１の内側に戻すことで、調理室内を清潔な状態で継続して利用することができる。
【００３２】
また、機能性側面体６は２００℃以上になってくると、油煙等がこびりついて洗浄が難しくなってくるが、このとき基材に低分子シリコンからなるクリアーコートを担持しておけば、撥油機能を持つ低分子シリコンが油煙の付着を防止し、機能性側面体６は簡単に洗浄することができる。
【００３３】
また、機能性側面体６は２００℃以上になってくると、油煙等がこびりついて洗浄が難しくなってくるが、このとき基材にフッ素コートを担持しておけば、機能性側面体６の表面温度が３００℃までであれば、撥油機能を持つフッ素の塗膜が油煙の付着を防止し、機
能性側面体６は簡単に洗浄することができる。
【００３４】
また、機能性側面体６の表面温度が２５０℃以上になってくると、油煙等がこびりついた部分には食塩等の腐食性化合物も付着するが、このとき基材として、ステンレスやアルミニウム鋼板のような耐食性が高い基材を用いれば、腐食性の化合物が付着した場合でも基材の腐食を抑制することができる。
【００３５】
（実施の形態２）
図２は、本発明の第２の実施の形態における加熱調理器の構成図を示すものである。
【００３６】
図２において、本発明の加熱調理器２１は、調理室１の底面に調理室１の外へ取り外すことが可能な機能性底面体２２を設けた構成としており、それ以外は実施の形態１と同様である。以下、実施の形態１と異なる部分について説明する。
【００３７】
本実施の形態２によれば、調理物３を調理する工程において、調理物３から発生する油煙等が必ず調理室１内の側面に置かれた機能性側面体６に付着するものであり、また調理室１内の底面に置かれた機能性底面体２２にも油煙等が付着する可能性がある。それらは高温のため油煙等がこびりつく部分も存在するが、機能性側面体６や機能性底面体２２は調理室１外へ取り外すことができる。よって油煙等が付着した機能性側面体６や機能性底面体２２は使用者が効果的にまた簡単に洗浄することができ、洗浄後の機能性側面体６や機能性底面体２２を調理室１の内側に戻すことで、調理室内を清潔な状態で継続して利用することができる。
【００３８】
（実施の形態３）
図３は、本発明の第３の実施の形態における加熱調理器の構成図を示すものである。
【００３９】
図３において、本発明の加熱調理器３１は、調理室１の内側の天面に遠赤外線放射材３２を担持した構成としており、それ以外は実施の形態１と同様である。以下、実施の形態１と異なる部分について説明する。
【００４０】
本実施の形態３によれば、調理物３を調理する工程において、上面加熱手段２は調理物３を加熱すると同時に、遠赤外線放射材３２も加熱し調理物３に向けて遠赤外線を放射する。遠赤外線を受けた調理物３は表面の調理性能が早くなり、また遠赤外線は調理物３の内部にまで浸透するので、上面加熱手段４と下面加熱手段５からの輻射熱と合わせて調理される。
【００４１】
また、加熱調理器の調理室に実際に秋刀魚４匹を入れ、調理開始から秋刀魚表面に適切な焼色が着くまでの調理時間を天面に遠赤外線放射材が有る場合と無い場合で測定を行った。秋刀魚の表面に焼色が着く指標として、秋刀魚表面の色彩を測定し、Ｌ値を求めた。Ｌ値とは焼色の指標として用いられる値であり、調理を行っていない生の秋刀魚であればＬ値は７０、炭であればＬ値は２０である。秋刀魚の焼色として適切な値としてＬ値は３０〜４０であれば良く、実験１では秋刀魚表面のＬ値が３０〜４０になるまでの調理時間を求めた結果、遠赤外線放射材が有る場合は１３．８分で、無い場合は１８分であった。このことから、天面に遠赤外線放射材を担持した場合は秋刀魚表面に焼色の着くまでの時間が短いことがわかる。
【００４２】
また、遠赤外線放射材は繰り返し使用するとともに、表面に油煙等が付着して遠赤外線の放射量が少なくなってくるが、このとき遠赤外線放射材として油煙分解機能を有するマンガンやクロムや銅の酸化物、あるいはそれらの複合酸化物を用いた場合は、油煙等の付着を抑制することができ、繰り返し調理を行ったときも秋刀魚表面に焼色の着くまでの時
間を短くすることができる。
【００４３】
さらに遠赤外線放射材の中に油煙分解機能を有する白金やパラジウムを含有することで、一層油煙等の付着を抑制することができ、繰り返し調理を行ったときも秋刀魚表面に焼色の着くまでの時間を短くすることができる。
【００４４】
なお、本実施の形態の加熱調理器を電磁誘導加熱式調理器に搭載してもよい。
【産業上の利用可能性】
【００４５】
以上のように、本発明にかかる加熱調理器は、受け皿を備えた焼き網上に載せた調理物を収容する調理室と、前記調理室に調理物を出し入れする扉と、前記調理物の上面を加熱する上面加熱手段と、前記調理物の下面を前記焼き網の下から加熱する下面加熱手段とで調理物を加熱する構成をとっており、前記調理室内側の側面に防汚処理を施した機能性側面体とを備え、前記機能性側面体は調理室外へ取り外すことを可能とした構成としている。調理物を調理する工程において、調理物から発生する油煙等は必ず調理室内の側面に置かれた機能性側面体に付着する。機能性側面体が高温の部分は油煙等がこびりつくが、機能性側面体は調理室外へ取り外すことができるため、油煙等が付着した機能性側面体は、使用者が効果的にまた簡単に洗浄することができる。そして洗浄後の機能性側面体を調理室の内側に戻すことで、調理室内を清潔な状態で継続して利用することができる。このような構成であれば、特に調理器の方式に関係なく適用することができ、また大型の調理器にも適用することができる。
【図面の簡単な説明】
【００４６】
【図１】本発明の実施の形態１における加熱調理器の構成を示す構成図
【図２】本発明の実施の形態２における加熱調理器の構成を示す構成図
【図３】本発明の実施の形態３における加熱調理器の構成を示す構成図
【図４】従来の加熱調理器の構成を示す構成図
【符号の説明】
【００４７】
１  調理室
２  焼き網
３  調理物
４  上面加熱手段
５  下面加熱手段
６  機能性側面体
７  受け皿
８  温度検知手段
９  底温度検知手段
１０、２１、３１  加熱調理器
２２  機能性底面体
３２  遠赤外線放射材
【図１】
2010000219.tif 000003
【図２】
2010000219.tif 000004
【図３】
2010000219.tif 000005
【図４】
2010000219.tif 000006